(57)【要約】      （修正有）【課題】コアとフランジとが別体となされた新規な組み立て構造を有する回転ドラムを提供する。【解決手段】コア２の軸芯を回転中心とした回転運動を行わせる機械要素として利用される回転ドラム１において、コア２と、一対のフランジ３と、を別体として形成し、コア２の両端各々に前記フランジ３を連結させた際、コア２の両端部が補強されるように、フランジ３に、コア２の端部に内篏合し得る外縁形状を有する嵌め込み部３２を設ける。【選択図】図１
2016178879.tif 000002
【特許請求の範囲】
【請求項１】
コアと、一対のフランジと、が別体として形成されてなり、前記コアの両端部各々に前記フランジが連結されて、前記コアの軸芯を回転中心とした回転運動を行わせる機械要素として用いられる組み立て式の回転ドラムであって、
前記コアが、略円筒状且つ中空のコア本体部と、前記コア本体部内に配されて前記コア本体部の中程を補強するコア支持部と、を具備してなり、
前記コアの両端各々に前記フランジを連結させた際、前記コア本体部の両端部が補強されるように、
前記フランジに、前記コア本体部の端部に内篏合し得る外縁形状を有する嵌め込み部が設けられていることを特徴とする回転ドラム。
【請求項２】
請求項１に記載の回転ドラムにおいて、
前記コア本体部と、前記コア支持部が別体として形成されてなり、前記コア本体部に前記コア支持部が内篏合されて前記コアが形成されるようになされた回転ドラム。
【請求項３】
請求項１又は２に記載の回転ドラムにおいて、
前記コア支持部を複数個具備してなる回転ドラム。
【請求項４】
請求項１ないし３のいずれか１項に記載の回転ドラムにおいて、
前記コア本体部と前記フランジとが、互いに別の素材で形成されてなる回転ドラム。
【請求項５】
請求項１ないし４のいずれか１項に記載の回転ドラムにおいて、
前記フランジが、前記コア本体部を形成する素材より高い密度を有する素材で形成されてなる回転ドラム。
【請求項６】
請求項１ないし５のいずれか１項に記載の回転ドラムにおいて、
前記コア本体部が繊維強化複合材料を素材として形成されてなり、前記フランジが金属を素材として形成されてなる回転ドラム。
【請求項７】
請求項１ないし６のいずれか１項に記載の回転ドラムにおいて、
前記機械要素が、魚釣り用リールのスプールである回転ドラム。
【発明の詳細な説明】
【技術分野】
【０００１】
本発明は、コアの軸芯を回転中心とした回転運動を行わせる機械要素として用いられる回転ドラムに関する。
【背景技術】
【０００２】
回転ドラムは、コアの軸芯を回転中心とした回転運動を行わせることによって、索体やテープなどの長尺物を巻き取るための巻筒（スプール）や、転がり運動を行わせるための車輪（ホイール）などとして用いられる機械要素である。
【０００３】
前記回転ドラムは、用途に応じて様々な形状となされるが、コアの両端各々にフランジを備えた形状のものが一般的である（例えば、下記特許文献１〜４参照）。
【先行技術文献】
【特許文献】
【０００４】
【特許文献１】特許２００１‐４５９２７号公報
【特許文献２】特開２００１‐６９８８５号公報
【特許文献３】特開２０１３‐１５８３０８号公報
【特許文献４】実開昭６２‐１９６７０２号公報
【発明の概要】
【発明が解決しようとする課題】
【０００５】
前記特許文献１〜３には、魚釣り用リールのスプールとして用いられる回転ドラムの構造が開示されている。この種の魚釣り用リールのスプールは、ステンレスやマグネシウムなどの金属素材を削り出して成形する場合が多く、従って、コアとフランジとが一体的に成形されたワンピース構造のものが一般的である。
【０００６】
一方、前記特許文献４には、リムとディスクとが別体となされたツーピース構造、及び前記リムがインナー側とアウター側とに二分されたスリーピース構造の自動車用ホイールが開示されている。しかしながら、係る自動車用ホイールも、前記リムがコアとなる部分とフランジとなる部分とを兼ねていることから、やはり、コアとフランジとが一体的に形成された構造を有すると言える。
【０００７】
本発明は、前記技術的課題を解決するために開発されたものであって、コアとフランジとが別体となされた新規な組み立て構造を有する回転ドラムを提供することを目的とする。
【課題を解決するための手段】
【０００８】
前記技術的課題を解決するために、本発明の回転ドラムは、コアと、一対のフランジと、が別体として形成されてなり、前記コアの両端部各々に前記フランジが連結されて、前記コアの軸芯を回転中心とした回転運動を行わせる機械要素として用いられる組み立て式の回転ドラムであって、前記コアが、略円筒状且つ中空のコア本体部と、前記コア本体部内に配されて前記コア本体部の中程を補強するコア支持部と、を具備してなり、前記コアの両端各々に前記フランジを連結させた際、前記コア本体部の両端部が補強されるように、前記フランジに、前記コア本体部の端部に内篏合し得る外縁形状を有する嵌め込み部が設けられていることを特徴とする（以下、「本発明ドラム」と称する。）。
【０００９】
本発明ドラムにおいては、前記コア本体部と、前記コア支持部が別体として形成されてなり、前記コア本体部に前記コア支持部が内篏合されて前記コアが形成されるようになされたものが好ましい態様となる。
【００１０】
本発明ドラムにおいては、前記コア支持部を複数個具備してなるものが好ましい態様となる。
【００１１】
本発明ドラムにおいては、前記コア本体部と前記フランジとが、互いに別の素材で形成されてなるものが好ましい態様となる。
【００１２】
本発明ドラムにおいては、前記フランジが、前記コア本体部を形成する素材より高い密度を有する素材で形成されてなるものが好ましい態様となる。
【００１３】
本発明ドラムにおいては、前記コア本体部が繊維強化複合材料を素材として形成されてなり、前記フランジが金属を素材として形成されてなるものが好ましい態様となる。
【００１４】
本発明ドラムにおいては、前記機械要素が、魚釣り用リールのスプールであるものが好ましい態様となる。
【発明の効果】
【００１５】
本発明によれば、コアとフランジとを別体として成形することができる。
【図面の簡単な説明】
【００１６】
【図１】図１は、実施形態１に係る本発明ドラムを示す分解斜視図である。
【図２】図２は、前記本発明ドラムを示す斜視図である。
【図３】図３は、前記本発明ドラムを断面状態にて示す平面図である。
【図４】図４は、実施形態２に係る本発明ドラムを示す分解斜視図である。
【図５】図５は、前記本発明ドラムを断面状態にて示す平面図である。
【発明を実施するための形態】
【００１７】
以下、本発明の実施形態を、図面を参照しながら説明するが、本発明はこれらの実施形態に限定されるものではない。
【００１８】
［実施形態１］
＜本発明ドラム１＞
図１に、実施形態１に係る本発明ドラム１の分解斜視図を示す。この本発明ドラム１は、コア２と、一対のフランジ３と、を具備する。又、本実施形態に係る本発明ドラム１は、魚釣り用リール（両軸受けリール）のスプールとして用いられるものであり、前記コア２の軸芯を回転中心とした回転運動を行わせるための回転軸４が更に付されている。
【００１９】
‐コア２‐
前記コア２は、コア本体部２１と、コア支持部２２と、を具備する。
前記コア本体部２１は、略円筒状且つ中空の全体形状を有する。本実施形態において、前記コア本体部２１は、繊維強化複合材料（炭素繊維強化プラスチック）を素材として成形された中空の円筒体である。
【００２０】
なお、本発明において、「略円筒状」とは、軸芯に直行する水平断面形状が円形であることを意味し、従って、前記コア本体部２１は、必ずしも厳密な円筒形に限られない。
【００２１】
前記コア支持部２２は、前記コア本体部２１内に配されて前記コア本体部２１の中程を補強する部材である。本実施形態において、前記コア支持部２２は、前記回転軸４が挿入される軸挿入孔２２１と、前記軸挿入孔２２１から放射状に延びる複数のリブ２２２と、前記リブ２２２によって支持された円環状の外縁部２２３と、を具備する。本実施形態において、前記コア支持部２２は、繊維強化複合材料（炭素繊維強化プラスチック）を素材として、前記軸挿入孔２２１、前記リブ２２２及び前記外縁部２２３が、一体的に成形されたものである。
【００２２】
前記コア支持部２２は、前記外縁部２２３の外径が、前記コア本体部２１の内径と同寸となされており、前記コア本体部２１に前記コア支持部２２が内篏合されることによって、前記コア２が形成される。
【００２３】
‐フランジ３‐
前記フランジ３は、円環状のフランジ本体部３１と、前記フランジ本体部３１の一面側に突出させた嵌め込み部３２と、を具備する。本実施形態において、前記フランジ３は、金属（マグネシウム合金）を素材として、前記フランジ本体部３１及び前記嵌め込み部３２を一体的に成形したものである。
【００２４】
前記嵌め込み部３２の外縁形状は、前記コア本体部２１の端部に内篏合され得る形状となされる。本実施形態においては、前記嵌め込み部３２の外縁形状を、前記コア本体部２１の内径と同寸の外径を有する円形としている。
【００２５】
＜本発明ドラム１の組み立て＞
前記コア本体部２１に前記コア支持部２２が内篏合された前記コア２の両端各々に前記フランジ３を連結させれば、図２に示す本発明ドラム１が組み立てられる。なお、前記回転軸４は、前記コア支持部２２に存する軸挿入孔２２１に挿入された状態で固定される。組み立てられた本発明ドラム１は、図３の断面図に示すように、前記コア本体部２１の中程が前記コア支持部２２によって補強され、且つ、前記コア本体部２１の両端が前記フランジ３の嵌め込み部３２によって補強された構造となり、前記コア本体部２１には、相当の剛性が付与される。
【００２６】
従って、例えば、軽量化の観点から、前記コア本体部２１の素材を密度の低い素材としたり、前記コア本体部２１を薄肉化したりした場合にあっても、前記コア本体部２１の剛性を確保することができる。これより、素材の選択や設計変更の幅を広げることができる。
【００２７】
なお、本実施形態においては、前記コア２につき、前記コア本体部２１と前記コア支持部２２とを別体として成形しているが、前記コア本体部２１及び前記コア支持部２２を一体的に成形して前記コア２としても良い。
【００２８】
又、本実施形態においては、前記コア本体部２１と前記フランジ３とが、互いに別の素材で形成されているが、コア支持部２２を含めた各部材につき同じ素材を用いても良いし、それぞれ異なる素材にて形成しても良い。
【００２９】
但し、本実施形態のように、前記コア本体部２１を繊維強化複合材料にて成形し、前記フランジ３を繊維強化複合材料より密度の高い金属にて成形すれば、本発明ドラム１を回転させた際の遠心力が増すため、回転運動を維持する慣性力が高まる。この構成の本発明ドラム１をスプールとして備えた魚釣り用リールは、軽い仕掛けを遠くに飛ばし得る遠投性能を発現する。
【００３０】
一方、前記フランジ３を形成する素材の密度を、前記コア本体部２１を形成する素材の密度より低くすれば、本発明ドラム１を回転させた際の遠心力が低下し、回転運動を維持する慣性力が低下する。この構成の本発明ドラム１をスプールとして備えた魚釣り用リールは、キャスティングの際のスプールの過回転が抑制され、バックラッシュ等のトラブル発生率が低くなる。
【００３１】
［実施形態２］
＜本発明ドラム１＞
図４に、実施形態２に係る本発明ドラム１の分解斜視図を示す。この本発明ドラム１は、コア２と、一対のフランジ３と、を具備する。又、本実施形態に係る本発明ドラム１も、魚釣り用リール（両軸受けリール）のスプールとして用いられるものである。
【００３２】
‐コア２‐
本実施形態に係るコア２は、前記コア本体部２１の周壁に、複数の穴２１１が設けられている点、及び、コア支持部２２を複数個（本実施形態においては二個）具備している点が、前述の実施形態１と異なる。そして、本実施形態に本発明ドラム１では、コア本体部２１に二個のコア支持部２２が内篏合されることによって、前記コア２が形成される。
【００３３】
‐フランジ３‐
前記フランジ３は、実施形態１において説明したものと同様の形状を有してなり、フランジ本体部３１と、前記フランジ本体部３１の一面側に突出させた嵌め込み部３２と、を具備する。
【００３４】
＜本発明ドラム１の組み立て＞
前記コア本体部２１に前記コア支持部２２が内篏合された前記コア２の両端各々に前記フランジ３を連結させれば、本発明ドラム１が組み立てられる。組み立てられた本発明ドラム１は、図５の断面図に示すように、前記コア本体部２１の中程の複数個所（本実施形態においては二箇所）が前記コア支持部２２によって補強され、且つ、前記コア本体部２１の両端が前記フランジ３の嵌め込み部３２によって補強された構造となり、前記コア本体部２１に剛性を付与することができる。
【００３５】
即ち、本発明ドラム１は、前記コア本体部２１の中程の複数個所が前記コア支持部２２によって補強されているから、より高い剛性が前記コア本体部２１に付与される。これより、前記コア（コア本体部２１）２をより長尺に設計することができる。
【００３６】
その余は、前記実施形態１において説明した事項と同様のため、繰り返しの説明を避けるべく、ここでは説明を省略する。
【００３７】
ところで、前記実施形態１及び前記実施形態２では、本発明ドラムについて、魚釣り用リールのスプールとして用いられる場合を例示しているが、本発明ドラムは、魚釣り用リールのスプールにのみ用いられる機械要素ではない。
【００３８】
本発明ドラムは、コアの両端部各々にフランジが連結されて、前記コアの軸芯を回転中心とした回転運動を行わせる機械要素であり、その用途は限定されない。本発明ドラムが利用される機械要素の例としては、例えば、自動車用のホイールなどを挙げることができる。
【００３９】
なお、本発明は、その精神又は主要な特徴から逸脱することなく、他のいろいろな形態で実施することができる。そのため、上述の実施形態はあらゆる点で単なる例示に過ぎず、限定的に解釈してはならない。本発明の範囲は特許請求の範囲によって示すものであって、明細書本文には何ら拘束されない。更に、特許請求の範囲の均等範囲に属する変形や変更は、すべて本発明の範囲内のものである。
【産業上の利用可能性】
【００４０】
本発明ドラムは、コアの軸芯を回転中心とした回転運動を行わせる機械要素として、好適に用いられる。
【符号の説明】
【００４１】
１  本発明ドラム（回転ドラム）
２  コア
２１  コア本体部
２２  コア支持部
３  フランジ
３１  フランジ本体部
３２  嵌め込み部
４  回転軸
【図１】
2016178879.tif 000003
【図２】
2016178879.tif 000004
【図３】
2016178879.tif 000005
【図４】
2016178879.tif 000006
【図５】
2016178879.tif 000007